(57)【要約】      （修正有）【課題】磁気テープカセットが収容される収容部への塵埃の侵入を防ぐ高い密閉性能を有し、ロック操作がスムーズに行え、更に高い剛性を有する磁気テープカセット用ケースの提供。【解決手段】蓋体３が本体２に対して回動可能に連結され、一の蓋体壁部３４の内周面に第１の係止部９が設けられ、本体２に対して蓋体３を回動させて、壁部２１〜２４の外周面に蓋体壁部３１〜３４の内周面が当接したときに、第１の係止部９を案内する傾斜面８ａを備えると共に、第１の係止部９に係合する第１の係合部８が、一の壁部２４の外周面に形成された磁気テープカセット用ケース１である。【選択図】図３Ａ
2008120393.tif 000002
【特許請求の範囲】
【請求項１】
蓋体底部と、該蓋体底部の周縁に沿って枠状に立設された蓋体壁部とを備えた蓋体と、
底部と、該底部に接続され、該底部と共に磁気テープカセットを収容する収容空間を画成し、該収容空間内に収容された前記磁気テープカセットの周側面に当接して該磁気テープカセットを保持可能であり、かつその外周面が前記蓋体壁部の内周面と当接可能な壁部とを備えた本体とを有してなり、前記蓋体が前記本体に対して回動可能に連結され、
一の蓋体壁部の内周面に第１の係止部が設けられ、
前記本体に対して前記蓋体を回動させて、前記壁部の外周面に蓋体壁部の内周面が当接したときに、前記第１の係止部を案内する傾斜面を備えると共に、前記第１の係止部に係合する第１の係合部が、一の壁部の外周面に形成されたことを特徴とする磁気テープカセット用ケース。
【請求項２】
本体における壁部が、底部の周縁に沿ってかつ該周縁よりも内側に位置し、蓋体壁部の端部が、前記底部に当接可能な請求項１に記載の磁気テープカセット用ケース。
【請求項３】
蓋体壁部の端部に嵌合する溝部が、本体における底部に形成された請求項２に記載の磁気テープカセット用ケース。
【請求項４】
蓋体壁部の外周面に第２の係合部が設けられ、前記本体に対して前記蓋体を回動させて、前記壁部の外周面に蓋体壁部の内周面が当接したときに、前記第２の係合部に係止する第２の係止部が、前記本体に設けられた請求項１から３のいずれかに記載の磁気テープカセット用ケース。
【発明の詳細な説明】
【技術分野】
【０００１】
本発明は、放送局等において磁気テープカセットを収容して保護するために用いられる磁気テープカセット用ケースに関する。
【背景技術】
【０００２】
一般に、放送局等で用いられる磁気テープカセットは、市販のビデオテープカセットなどに比較して大型で重量が大きいため、落下時には磁気テープカセットにかかる衝撃が大きく、磁気テープカセットの損傷の原因となる。このため、磁気テープカセットが衝撃によって損傷することを防ぐため、保管や搬送時には専用の合成樹脂製の収容ケースに収容される。
【０００３】
従来の磁気テープカセット用ケースの一例としては、本体と、該本体に回動可能に連結された蓋体とを有する磁気テープカセット用ケースが知られている（例えば、特許文献１参照）。
【０００４】
図８は、特許文献１に開示された従来の磁気テープカセット用ケースの構成を示す斜視図である。
図８に示すように、従来の磁気テープカセット用ケース１は、ケース本体Ｂと、蓋体Ｃとが連結部Ｊを介して開閉自在に連結されると共に、ケース本体Ｂの底板２にはカセット収容空間を形成する枠体３が突設され、蓋体Ｃの天板４にはケース閉塞時に対応する枠体３の外周面を覆うように重合する周壁体５が突設され、該周壁体５の端縁が対向するケース内壁面と該端縁との間には補完的に嵌合する嵌合手段が設けられると共に、該嵌合手段の近傍には前記ケース本体と前記蓋体とを閉塞状態に保持する係止手段が設けられている。
また、前記係止手段は、前記嵌合手段の少なくとも一部分を圧入嵌合部とすることにより構成されている。
【０００５】
ところで、特許文献１に見られるような構成をなす従来の磁気テープカセット用ケースにおいては、上記のような剛性に加え、密閉性も求められる。
これは、磁気テープカセット用ケースに収容される磁気テープカセットの磁気テープには、塵埃の付着を避ける必要があるからである。
また、磁気テープに埃等の異物が付着していれば、磁気記録再生装置側の磁気ヘッドに傷をつけ、磁気ヘッドの摩耗を速める等の問題も生じるからである。即ち、磁気テープカセット用ケースでは、異物の進入によって磁気ヘッド、及び磁気テープの双方にダメージを与え、記録再生能を低下させるという問題があった。
【０００６】
しかしながら、特許文献１に開示された磁気テープカセット用ケースは、ケース本体Ｂ、及び連結部Ｊを連結する接続機構と、蓋体Ｃ、及び連結部Ｊを連結する接続機構といった、２つの接続機構を備え、蓋体Ｃに形成された周壁体５がＵ字形状の枠体をなしているため、前記２つの接続機構による連結部Ｊとケース本体Ｂとの間に隙間が形成されると共に、該隙間が外部と磁気テープカセットを収容する枠体３との間が連通する構成となってしまっているため、塵埃がケース本体Ｂの内部に侵入しやすい構造であった。
また、磁気テープカセットは、テープ露出部分が前記接続機構側になるように、磁気テープカセット用ケースに収容される。これは、前記テープ露出部分がロック部分に近いと、着脱（収容）作業時に誤って触れてしまうことがあるための処置である。したがって、前記磁気テープカセットは、塵埃の侵入しやすい接続機構側に設置され、結果として、磁気テープの保存安定性を低下させることとなり、磁気テープカセット用ケースの密閉性について改善の余地があった。
更に、放送局で使用されるハードタイプの磁気テープカセット用ケースにおいては、テープカセットの出し入れ回数が多いために、特許文献１に記載のように、２つの接続機構を採用しているが、開け易さを重視するあまり、ケース本体Ｂと、蓋体Ｃとの係合（ロック）状態が不用意に解除されてしまった場合、折り畳まれた前記連結部が開いて、磁気テープカセットが落下してしまう虞もあり、ロック操作がスムーズに行えず、作業が煩雑になる点でも改善の余地があった。
【０００７】
【特許文献１】特開平８−１０４３８７号公報
【発明の開示】
【発明が解決しようとする課題】
【０００８】
本発明は、従来における前記問題を解決し、以下の目的を達成することを課題とする。即ち、本発明は、磁気テープカセットが収容される収容部への塵埃の侵入を防ぐ高い密閉性能を有し、ロック操作がスムーズに行え、更に高い剛性を有する磁気テープカセット用ケースを提供することを目的とする。
【課題を解決するための手段】
【０００９】
前記課題を解決するための手段としては、以下の通りである。即ち、
＜１＞  蓋体底部と、該蓋体底部の周縁に沿って枠状に立設された蓋体壁部とを備えた蓋体と、
底部と、該底部に接続され、該底部と共に磁気テープカセットを収容する収容空間を画成し、該収容空間内に収容された前記磁気テープカセットの周側面に当接して該磁気テープカセットを保持可能であり、かつその外周面が前記蓋体壁部の内周面と当接可能な壁部とを備えた本体とを有してなり、前記蓋体が前記本体に対して回動可能に連結され、
一の蓋体壁部の内周面に第１の係止部が設けられ、
前記本体に対して前記蓋体を回動させて、前記壁部の外周面に蓋体壁部の内周面が当接したときに、前記第１の係止部を案内する傾斜面を備えると共に、前記第１の係止部に係合する第１の係合部が、一の壁部の外周面に形成されたことを特徴とする磁気テープカセット用ケースである。
該＜１＞に記載の磁気テープカセット用ケースにおいては、本体、及び蓋体が共に無蓋有底形状をなし、前記本体における４つの壁部の外周面に、４つの前記蓋体壁部の内周面が当接するので、磁気テープが収容される収容部と、外部とが連通せず、前記収容部における密閉性が向上する。
また、連結部を介して蓋体が回動されて収容部を覆うように閉じられるときに、一の蓋体壁部に設けられた第１の係止部が、本体に設けられた第１の係合部に形成された傾斜面に接触した状態で前記第１の係合部に向って案内されつつ、該第１の係合部と係合する。
このため、蓋体を閉じる際に、蓋体壁部の端面が、本体の壁部の端面に衝突することを抑制して蓋体をスムーズに閉じることができ、前記第１の係止部を前記第１の係合部に係合させるロック操作を容易にすることができる。
＜２＞  一の蓋体壁部は、連結部が接続された蓋体壁部に対向する蓋体壁部であり、本体における一の壁部は、連結部が接続された本体における壁部に対向する壁部である前記＜１＞に記載の磁気テープカセット用ケースである。
該＜２＞に記載の磁気テープカセット用ケースにおいては、連結部が接続された蓋体壁部に対向する前記一の蓋体壁部に第１の係止部を設け、前記連結部が接続された本体における壁部に対向する前記一の壁部に第１の係合部を設けたので、連結部において本体に対して蓋体を回動させて、本体における壁部の外周面に、前記蓋体壁部の内周面が当接する際に、前記連結部から離れているために不安定となり易い本体の前記一の壁部の外周面と、前記一の蓋体壁部の内周面との当接状態を確実な当接状態とすることができる。
＜３＞  本体における一の壁部が、連結部が接続された本体における壁部の方向に傾斜された前記＜１＞から＜２＞に記載の磁気テープカセット用ケースである。
該＜３＞に記載の磁気テープカセット用ケースにおいては、本体における一の壁部が、連結部が接続された本体における壁部の方向に傾斜されて本体の底部に設けられているので、連結部において本体に対して蓋体を回動させて、本体における壁部の外周面に、前記蓋体壁部の内周面が当接する際に、前記一の蓋体壁部の端面が、本体の前記一の壁部に衝突することをより確実に抑制することができる。
＜４＞  本体における壁部が、底部の周縁に沿ってかつ該周縁よりも内側に位置し、蓋体壁部の端部が、前記底部に当接可能な前記＜１＞から＜３＞に記載の磁気テープカセット用ケースである。
該＜４＞に記載の磁気テープカセット用ケースにおいては、該ケースを閉める動作として、本体の壁部の外周面に、蓋体壁部の内周面を当接させたとき、該蓋体壁部の端部が、前記底部に当接可能に形成されているので、本体の壁部の周囲を取り囲む蓋体壁部が高い密閉性で本体に嵌合される。
＜５＞  蓋体壁部の端部に嵌合する溝部が、本体における底部に形成された前記＜４＞に記載の磁気テープカセット用ケースである。
該＜５＞に記載の磁気テープカセット用ケースにおいては、該ケースを閉める動作として、本体の壁部の外周面に、蓋体壁部の内周面を当接させたとき、該蓋体壁部の端面が嵌合する溝部が本体に形成されているので、本体の壁部の周囲を取り囲む蓋体壁部が高い密閉性で本体に嵌合されていることとなり、更なる高い密閉性が実現される。
＜６＞  蓋体壁部の外周面に第２の係合部が設けられ、前記本体に対して前記蓋体を回動させて、前記壁部の外周面に蓋体壁部の内周面が当接したときに、前記第２の係合部に係止する第２の係止部が、本体に設けられた前記＜１＞から＜５＞のいずれかに記載の磁気テープカセット用ケースである。
【発明の効果】
【００１０】
本発明によると、従来における諸問題を解決でき、磁気テープカセットが収容される収容部への塵埃の侵入を防ぐ高い密閉性能を有し、ロック操作がスムーズに行え、更に高い剛性を有する磁気テープカセット用ケースを提供することができる。
【発明を実施するための最良の形態】
【００１１】
以下、本発明の磁気テープカセット用ケースについて図面を参照して説明する。
【００１２】
＜磁気テープカセット用ケースの構成＞
図１〜２は、本発明の一実施形態における磁気テープカセット用ケースの構成を示す斜視図である。
図１〜２に示すように、本実施形態における磁気テープカセット用ケース１は、矩形をなす底部２０と、該底部２０の周縁部に形成されたフランジ部２０ａに沿って枠状に立設され、磁気テープカセット５０を収容する収容空間を画成する壁部２１，２２，２３，２４とからなる本体２と、矩形をなす底部３０と、該底部３０の周縁部を囲繞するように立設され、本体２の壁部２１〜２４の外側に嵌合し、かつフランジ部２０ａに当接可能な形状とされた蓋体壁部３１，３２，３３，３４とからなる蓋体３とを有している。
そして、本体２の底部２０の一端面と、蓋体壁部３１の一端面とが、連結部４により連結されてなる。
なお、壁部２１〜２４によって形成される本体２の枠体は、該枠体の内面（内壁）に、蓋体壁部３１〜３４によって形成される蓋体３の枠体の外面（外壁）が嵌合するように、蓋体３の枠体よりも小さく設計される。
また、底部２０には、収容空間に収容される磁気テープカセットのリール（図示せず）が不用意に回動しないように固定するリール係止リブ２５，２５が設けられている。
更に、本体２において、連結部４が連結された底部２０の一端に立設された壁部２１に対向する壁部２４は、収容部Ｓに収容された磁気テープカセットに貼付されたラベルを視認し易いように、切り欠き部２４ａが形成されている。
切り欠き部２４ａは、壁部２４の上端の略中央部を、底部２０の方向へ窪むような形状をなしており、壁部２１〜２３も同様に、切り欠き部２１ａ〜２３ａが形成されている。
【００１３】
したがって、本体２、及び蓋体３は、共に無蓋有底の五面体の箱形状をなしており、本体２の周縁部に形成されたフランジ部２０ａの一端面と、蓋体壁部３１とが連結部４により連結されていることにより、蓋体３は、連結部４を軸として蓋体３が回動し、本体２の壁部２１〜２４の外周面に、蓋体壁部３１〜３４の内周面が当接することとなる。
このとき、底面２０と、壁部２１，２２，２３，２４とによって画成された収容空間と、蓋体３の底面３０とによって収容部Ｓが形成される。
ここで、蓋体壁部３１〜３４の内周面と、本体２の壁部２１〜２４の外周面との「当接」の態様としては、蓋体壁部３１〜３４の内周形状と、本体２の壁部２１〜２４の外周形状とを略同じにすることによって「嵌合」する態様などが好ましい。このように、蓋体壁部３１〜３４の内周面と、本体２の壁部２１〜２４の外周面とが「嵌合」することによって、前記収容空間と、蓋体底面３０とによって形成される収容部Ｓにおける密閉性が向上する。
【００１４】
また、図２に示すように、切り欠き部２４ａの両側には第１の係合部８がそれぞれ形成されている。壁部２１側に位置する蓋体壁部３４の内面側両端部には、第１の係止部９が形成されている。蓋体３が閉じられる際に、第１の係合部８と第１の係止部９とが係合するように構成されている。
【００１５】
蓋体３には、底部３０の外縁部に周囲の４方向を囲むように蓋体壁部３１，３２，３３，３４が底部３０上にそれぞれ直立して形成されている。蓋体３を本体２に被せた状態で、蓋体壁部３４が本体２の正面に位置するように形成され、蓋体壁部３２，３３が本体２の両側面に位置するように形成されている。
【００１６】
蓋体３には、底部３０の外縁部であって、蓋体壁部３１，３２，３３，３４の端部寄りの位置に、高さの低い四角柱形状の角ボス（図示せず）が形成されてもよい。各角ボスは、蓋体３が本体２に対して閉じられた際に、テープカセット５０の上面周縁部に当接することによって、テープカセット５０を安定的に支持する。
【００１７】
蓋体３は、蓋体壁部３２，３３，３４の内側に、底部３０の上面から蓋体壁部３２，３３，３４の上端近傍まで延設された四角柱形状の角ボス（図示せず）が形成されてもよい。角ボスは、蓋体３が本体２に対して閉じられた際に、本体２の壁部２２，２３の外周面と、蓋体壁部３２，３３の内周面との間に位置するように設けられ、閉じられた蓋体３が適正な位置になるように案内する。
【００１８】
図３Ａ、及び図３Ｂは、本実施形態における第１の係合手段の詳細な構成を示す要部拡大図である。また、図４は、本実施形態において磁気テープカセット用ケースを開閉する状態を示す断面図である。
図３Ａに示すように、第１の係合部８が壁部２４の外周面から突出するように形成されている。具体的には、第１の係合部８は、第１の係止部９と係合する凹部８ｂと、該凹部８ｂを囲うように突出部８ｃとが形成されている。突出部８ｃの上端から壁部２４に至るように傾斜面８ａが形成されている。
なお、本実施形態では、壁部２４と、蓋体壁部３４との当接における密閉性を高めるため、突出部８ｃ，８ｃのそれぞれにおける凹部８ｂが形成された面を連結して壁部２４の新たな外周面としてもよい。
【００１９】
本実施形態のテープカセット用ケース１によれば、連結部４を介して蓋体３が回動されて本体２に閉じられるときに、蓋体３の第１の係止部９が、第１の係合部８に形成された傾斜面８ａに接触した状態で、第１の係合部８の凹部８ｂに向って案内されることで、該第１の係合部８と係合する。
【００２０】
また、本実施形態のテープカセット用ケース１では、図４に示すように、各第１の係合部８が形成された壁部２４が、蓋体３を回動する際に、蓋体壁部３４における先端部３４ａの回動軌跡Ｂに対して壁部２１側に退いた位置に設けられている。
また、壁部２４における第１の係合部８の傾斜面８ａが、蓋体壁部３４の回動軌跡Ｂ上に配されている。言い換えると、第１の係合部８が形成された壁部２４が、蓋体３を閉じた状態で、第１の係止部９が形成された蓋体壁部３４から壁部３１側に退いた位置に設けられている。
【００２１】
このような構成を採用することによって、蓋体３を閉じた状態となるように該蓋体３を回動するときに、蓋体壁部３４の端面３４ａが本体２の壁部２４の端面に衝突することをより確実に抑制することができる。
【００２２】
ここで、図３Ａに示すように、第１の係合部８の凹部８ｂと本体２の周縁辺との間には、凹部８ｂをスライドコアで成形した際に、アンダーカットとならないように本体２の底部２０と平行な面を有するフランジ部２０ａが形成されている。
一般に、蓋体３と本体２との間から塵埃が侵入することを防止するため、両者が噛み合うように、本体２における蓋体３が当接する位置にアンダーカットによってフランジ部２０ａに窪むように構成されている。
本願においては、第１の係合部８における蓋体３と本体２とのロック構造となるため、このロックしている箇所では塵埃の侵入を防止できるため、アンダーカットが不要となる。
また、蓋体３の第１の係止部９が設けられた箇所の蓋体壁部３４における先端３４ａには切り欠き部３４ｂが形成され、本体２を蓋体３によって閉塞した際に、切り欠き部３４ｂがフランジ部２０ａの逃げ部となる。
このため、アンダーカットをなくすことで、磁気テープカセット用ケース１の成形がより簡単に行うことができ、製造コストを低減できる。
ここで、壁部２４と、蓋体壁部３４との当接における密閉性を高める他の態様として、図３Ｂに示すように、蓋体３の第１の係止部９と、切り欠き部３４ｂとの間における内周面に当接する当接部８ｄが２０ａ上に形成されてもよい。
【００２３】
（他の実施形態）
次に、本発明に係る磁気テープカセット用ケースの他の実施形態について、図面を参照して説明する。なお、本実施形態の磁気テープカセット用ケースの基本的な構成は、上述の実施形態と同様であるので、本実施形態の説明において、上述の実施形態と重複する説明は省略する。
【００２４】
図５は、本発明に係る磁気テープ用ケースの他の実施形態における磁気テープカセット用ケース１の本体２（フランジ部２０ａ）と、蓋体３との密閉構造を示す断面図である。
図５に示すように、フランジ部２０ａには、壁部２１〜２４（図５においては２３）の外側に、溝部２０ｂが形成されている。
したがって、本体２に対して蓋体３を一の回動方向に回動させて、本体２と、蓋体３とを当接させたとき、蓋体壁部３１〜３４の端面は、フランジ部２０ａに当接するだけでなく、枠形状をなす蓋体壁部３１〜３４に合わせて形成された溝部２０ｂに嵌合することによって、磁気テープカセット用ケースを閉じて本体２と蓋体３との当接がなされたときでも、良好な密閉性を得ることができる。
【００２５】
図６は、本実施形態における磁気テープカセット用ケースの構成を示す斜視図である。図６に示すように、本体２において、連結部４が連結された底部２０の一端（壁部２１が立設された側の端部）に対向するフランジ部２０ａ（壁部２４が立設された側の端部）には、連結部６を介してロック片５が設けられている。
ロック片５は、連結部６を介して壁部２４側へ折り畳むように可動に形成されており、ロック片５の先端部の壁部２４側には、第２の係止部５ａが形成されている。
一方、蓋体３において、連結部４が連結された蓋体壁部３１に対向する蓋体壁部３４の外周面には、第２の係合部７が設けられている。
したがって、連結部４により本体２に対して蓋体３を一の回動方向に回動させて、本体２と、蓋体３とを嵌合させたとき、本体２に対して他の回動方向に蓋体３が回動しないように、第２の係合部７に対して第２の係止部５ａを係合させて、本体２に対して蓋体３を固定することができる。
【００２６】
また、本実施形態では、前述の実施形態と同様に、蓋体壁部３４の内周面に第１の係止部９が設けられ、本体２における壁部２４の外周面に第１の係合部８が設けられている（図２〜４参照）。
したがって、本実施形態の磁気テープカセット用ケース１は、蓋体３が本体２に対して閉じられることにより、第１の係合部８に第１の係止部９がそれぞれ係合されてロックした後に、さらに、ロック片５が連結部６を介して図２中の上方に向けて立ち上げることにより、第２の係止部５ａが蓋体３の第２の係合部７に係合されてロックする、所謂、ダブルロックする構成である。
【００２７】
図７Ａ〜Ｅは、本実施形態における磁気テープカセット用ケース１の密閉動作を示す側面図である。
まず、図７Ａに示すように、壁部２１〜２４（壁部２２〜２３は図示せず）によって形成された収容部Ｓに磁気テープカセット５０が収容されている。
また、壁部２１の外側のフランジ部２０ａを兼ねた連結部４が、本体２と蓋体３とを連結している。
また、連結部４が接続された蓋体壁部３１に対向する蓋体壁部３４の外周面には、第２の係合部７が設けられ、蓋体壁部３４の内周面には、第１の係止部９が設けられている。
また、壁部２４の外周面には、第１の係合部８が設けられ、壁部２４の外側のフランジ部２０ａには、第２の係合部７に係合可能な第２の係止部５ａが先端に形成されたロック片５が、連結部６を介して接続されている。
その後、図７Ｂに示すように、本体２に対し、連結部４を軸として蓋体３を回動させる。このとき、第１の係合部８の形成領域を含めた本体２の外形寸法は、蓋体３の内形寸法と略同じ寸法とされているので、図７Ｃに示すように、蓋体壁部３２，３３（図１〜２参照）の内周面は、本体２の壁部２２，２３（図１〜２参照）の外周面に面接触しながら、本体２に蓋体３が覆い被さるように回動することとなる。
【００２８】
その後、図７Ｄに示すように、本体２の壁部２１〜２４の外周面に、蓋体壁部３１〜３４の内周面が嵌合し、第１の係合部８に第１の係止部９が係合され、磁気テープカセット５０が収容された収容部Ｓが形成されると共に、該収容部Ｓが密閉される。
その後は、振動や、落下などで不用意に本体２と蓋体３とが分離しないように、図７Ｅに示すように、連結部６によってロック片５を回動させて、該ロック片５に設けられた第２の係止部５ａを、第２の係合部７に係合させて、本体２と、蓋体３とを固定する。
【００２９】
このように、本実施形態の磁気テープカセット用ケースによれば、蓋体３の底部３０上に立設された蓋体壁部３１〜３４が、４面の枠体状をなすことによって、本体２の底部２０上に４面の枠体状に形成された壁部２１〜２４の外側に蓋体壁部３１〜３４が嵌合したときに、収容部Ｓに収容される磁気テープカセットが、前記収容部を形成する壁部２１〜２４だけでなく、蓋体壁部３１〜３４によっても強固に保護され、また、従来のような連結部材を採用することによる隙間が形成されず、更に、蓋体壁部３１〜３４がフランジ部２０ａに形成された溝部２０ｂに嵌合しているため、密閉性が向上し、収容部Ｓ内に塵埃が侵入することを軽減することができる。
【００３０】
以上説明したように、本発明に係る磁気テープカセット用ケースによれば、従来における諸問題を解決でき、本体の壁部に対してインロー式に蓋体の壁部が嵌合されるようにして磁気テープカセットを収容するので、連結機構周辺から塵埃等が侵入することが各段に軽減され、密閉性が向上するので、磁気テープカセットの磁気テープに塵埃等が付着することを防ぐことができる。
また、磁気テープカセットの収容時において、蓋体の壁部は、本体の壁部の外側を取り囲むように嵌合する構成を採用しているので、剛性が向上する。
【産業上の利用可能性】
【００３１】
本発明の磁気テープカセット用ケースは、本体に対して蓋体がインロー式に嵌合される構成を採用しているため、密閉性、及び剛性が向上し、内部に塵埃が侵入することを避けたい様々な態様の記録媒体の収容ケースとして利用することができる。
【図面の簡単な説明】
【００３２】
【図１】図１は、本発明の一実施形態における磁気テープカセット用ケースの構成を示す斜視図である。
【図２】図２は、本発明の他の実施形態における磁気テープカセット用ケースの構成を示す斜視図である。
【図３Ａ】図３Ａは、本発明の他の実施形態における第１の係止部、及び第１の係合部の構成を示す斜視図である。
【図３Ｂ】図３Ｂは、本発明の他の実施形態における第１の係止部、及び第１の係合部の構成を示す斜視図である。
【図４】図４は、本発明の他の実施形態における磁気テープカセット用ケースの開閉動作を示す図である。
【図５】図５は、本発明の一実施形態における磁気テープカセット用ケースの本体（フランジ部）と、蓋体との密閉構造を示す断面図である。
【図６】図６は、本発明の他の実施形態における磁気テープカセット用ケースの構成を示す斜視図である。
【図７Ａ】図７Ａは、本発明の他の実施形態における磁気テープカセット用ケースの密閉動作を示す側面図である。
【図７Ｂ】図７Ｂは、本発明の他の実施形態における磁気テープカセット用ケースの密閉動作を示す側面図である。
【図７Ｃ】図７Ｃは、本発明の他の実施形態における磁気テープカセット用ケースの密閉動作を示す側面図である。
【図７Ｄ】図７Ｄは、本発明の他の実施形態における磁気テープカセット用ケースの密閉動作を示す側面図である。
【図７Ｅ】図７Ｅは、本発明の他の実施形態における磁気テープカセット用ケースの密閉動作を示す側面図である。
【図８】図８は、従来の磁気テープカセット用ケースの構成を示す斜視図である。
【符号の説明】
【００３３】
１      磁気テープカセット用ケース
２      本体
３      蓋体
４      連結部
５      ロック片
５ａ      第２の係止部
６      連結部
７      第２の係合部
８      第１の係合部
８ａ      傾斜面
８ｂ      凹部
８ｃ      突出部
９      第１の係止部
２０      底部
２０ａ      フランジ部
２１      壁部
２２      壁部
２３      壁部
２４      壁部
２１ａ      切り欠き部
２２ａ      切り欠き部
２３ａ      切り欠き部
２４ａ      切り欠き部
２５      リール係止リブ
３０      底部
３１      壁部
３２      壁部
３３      壁部
３４      壁部
５０      磁気テープカセット
Ｓ      収容部
【図７Ａ】
2008120393.tif 000003
【図７Ｂ】
2008120393.tif 000004
【図７Ｃ】
2008120393.tif 000005
【図７Ｄ】
2008120393.tif 000006
【図７Ｅ】
2008120393.tif 000007
【図１】
2008120393.tif 000008
【図２】
2008120393.tif 000009
【図３Ａ】
2008120393.tif 000010
【図３Ｂ】
2008120393.tif 000011
【図４】
2008120393.tif 000012
【図５】
2008120393.tif 000013
【図６】
2008120393.tif 000014
【図８】
2008120393.tif 000015